【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
ピストンを搭載した緩衝器であって、
前記ピストンは、
環状に形成され端面に弁座を有するディスクと、
前記ディスクの前記弁座とは反対側の外周部から前記ディスクの軸線方向に突出して前記ディスクとは反対側の端部に環状端部を有するとともに内周面が前記ディスクとは反対側に向けて拡径する傾斜面である筒状のスカート部と、
前記ディスクに形成され前記スカート部の内側に開口するとともに前記ディスクの前記スカート部側の端面に積層される環状バルブによって開放可能に閉塞され前記環状バルブが撓むことで開放される流路と、
を備え、
前記環状端部の内径は、前記弁座の外径より大きく、
軸線に直交する水平面と前記スカート部の内周面との間の角度は、前記水平面と前記弁座の外周面との間の角度より小さい、
ことを特徴とする緩衝器。
【請求項２】
前記弁座は、外周面であって軸線に直交する水平面における外側部分に段部を有し、
前記段部の内径は前記環状端部の内径より小さく、前記段部の外径は前記環状端部の内径より大きい
ことを特徴とする請求項１に記載の緩衝器。
【請求項３】
前記弁座は、周方向に間隔を有して独立する開口窓を有し、
前記段部は、前記開口窓の外周面であって軸線に直交する水平面における外側部分に設けられる
ことを特徴とする請求項２に記載の緩衝器。
【請求項４】
環状に形成され端面に弁座を有するディスクと、
前記ディスクの前記弁座とは反対側の外周部から前記ディスクの軸線方向に突出して前記ディスクとは反対側の端部に環状端部を有するとともに内周面が前記ディスクとは反対側に向けて拡径する傾斜面である筒状のスカート部と、
前記ディスクに形成され前記スカート部の内側に開口するとともに前記ディスクの前記スカート部側の端面に積層される環状バルブによって開放可能に閉塞され前記環状バルブが撓むことで開放される流路と、
を備え、
前記環状端部の内径は、前記弁座の外径より大きく、
軸線に直交する水平面と前記スカート部の内周面との間の角度は、前記水平面と前記弁座の外周面との間の角度より小さい
ことを特徴とするピストン。
【手続補正２】
【補正対象書類名】明細書
【補正対象項目名】発明の名称
【補正方法】変更
【補正の内容】
【発明の名称】ピストンおよび緩衝器
【手続補正３】
【補正対象書類名】明細書
【補正対象項目名】０００１
【補正方法】変更
【補正の内容】
【０００１】
本発明は、ピストンおよび緩衝器に関する。
【手続補正４】
【補正対象書類名】明細書
【補正対象項目名】０００９
【補正方法】変更
【補正の内容】
【０００９】
本発明は、このような現状を鑑みて創案されたものであって、作動流体の流れを改善して、緩衝器に作動音を発生させないピストンおよび作動音を発生しない緩衝器を提供することを目的とする。
【手続補正５】
【補正対象書類名】明細書
【補正対象項目名】００１０
【補正方法】変更
【補正の内容】
【００１０】
上記した目的を達成するために、本発明の緩衝器は、ピストンを搭載し、前記ピストンは、環状に形成され端面に弁座を有するディスクと、前記ディスクの前記弁座とは反対側の外周部から前記ディスクの軸線方向に突出して前記ディスクとは反対側の端部に環状端部を有するとともに内周面が前記ディスクとは反対側に向けて拡径する傾斜面である筒状のスカート部と、前記ディスクに形成され前記スカート部の内側に開口するとともに前記ディスクの前記スカート部側の端面に積層される環状バルブによって開放可能に閉塞され前記環状バルブが撓むことで開放される流路とを備え、前記環状端部の内径は、前記弁座の外径より大きく、軸線に直交する水平面と前記スカート部の内周面との間の角度は、前記水平面と前記弁座の外周面との間の角度より小さいことを特徴とする。また、上記した目的を達成するために、本発明のピストンは、環状に形成され端面に弁座を有するディスクと、前記ディスクの前記弁座とは反対側の外周部から前記ディスクの軸線方向に突出して前記ディスクとは反対側の端部に環状端部を有するとともに内周面が前記ディスクとが反対側に向けて拡径する傾斜面である筒状のスカート部と、前記ディスクに形成され前記スカート部の内側に開口するとともに前記ディスクの前記スカート部側の端面に積層される環状バルブによって開放可能に閉塞され前記環状バルブが撓むことで開放される流路とを備え、前記環状端部の内径は、前記弁座の外径より大きく、軸線に直交する水平面と前記スカート部の内周面との間の角度は、前記水平面と前記弁座の外周面との間の角度より小さいことを特徴とする。
【手続補正６】
【補正対象書類名】明細書
【補正対象項目名】００１１
【補正方法】変更
【補正の内容】
【００１１】
本発明による緩衝器およびピストンにあっては、ディスクに連続するスカート部のディスク側の内周面を反ディスク方向に向けて拡径する傾斜面にするから、ディスクに形成の流路から流出してスカート部のディスク側の内周面に衝突した作動流体がスカート部のディスク側の内周面における傾斜に沿ってシリンダ内に流れる。
【手続補正７】
【補正対象書類名】明細書
【補正対象項目名】００１２
【補正方法】変更
【補正の内容】
【００１２】
このことから、本発明による緩衝器およびピストンにあっては、スカート部の内側に流出する作動流体が直角に折れ曲がるようにしてシリンダ内に流れる従前のピストンに比較して、作動流体の流れが滑らかになる。
【手続補正８】
【補正対象書類名】明細書
【補正対象項目名】００１３
【補正方法】変更
【補正の内容】
【００１３】
その結果、本発明による緩衝器によれば、作動流体の流れが改善されて作動音を発生しない。また、本発明によるピストンによれば、作動流体の流れが改善されて、緩衝器に作動音を発生させないことが可能になる。
【手続補正９】
【補正対象書類名】明細書
【補正対象項目名】００１４
【補正方法】変更
【補正の内容】
【００１４】
【図１】一実施形態の緩衝器を一部破断して示す正面断面図である。
【図２】一実施形態の緩衝器におけるピストンを示す平面図である。
【図３】図２中のＸ−Ｘ線位置で示す一実施形態の緩衝器におけるピストンの断面図である。
【図４】一実施形態の緩衝器におけるピストンを積層した状態を示す断面図である。
【図５】複数個の一実施形態の緩衝器におけるピストンを串刺し状態にして横置きにした状態を示す図である。
【図６】一実施形態の緩衝器におけるピストンを積層した状態を示す部分半截断面図で、（Ａ）は、ピストンのスカート部と弁座の半径条件を示し、（Ｂ）は、ピストンのスカート部と弁座の角度条件を示す。
【図７】他の実施形態の緩衝器におけるピストンを積層した状態を示す部分半截断面図で、（Ａ）は、ピストンのスカート部と弁座の半径条件を示し、（Ｂ）は、ピストンのスカート部と弁座の角度条件を示す。
【図８】従来のピストンを利用する緩衝器を一部破断して示す正面断面図である。
【手続補正１０】
【補正対象書類名】明細書
【補正対象項目名】００１５
【補正方法】変更
【補正の内容】
【００１５】
以下に、図示した実施形態に基づいて、本発明を説明する。図１に示すように、本発明による緩衝器におけるピストンＰは、たとえば、緩衝器におけるピストン部を構成する。
【手続補正１１】
【補正対象書類名】明細書
【補正対象項目名】００３０
【補正方法】変更
【補正の内容】
【００３０】
そして、本発明によるピストンＰによれば、作動流体の流れが滑らかになって、作動流体の流れが改善されるので、ピストン部がシリンダ１内を上昇する伸側作動時の緩衝器に作動音を発生させないことが可能になる。したがって、このピストンＰを搭載した緩衝器によれば、伸側作動時に作動音を発生しないようにすることができる。
【手続補正１２】
【補正対象書類名】明細書
【補正対象項目名】００３３
【補正方法】変更
【補正の内容】
【００３３】
上記の開口窓６ａを有する弁座６は、図２中の拡大図にも示すように、外周面６ｃであってピストンＰの軸線に直交する水平面における外側部分に段部６ｄを有し、この段部６ｄには、図４に示すように、下方のピストンＰに同心に上方からピストンＰを重ねるとき、スカート部４における環状端部４ｂが当接する。
【手続補正１３】
【補正対象書類名】明細書
【補正対象項目名】００４２
【補正方法】変更
【補正の内容】
【００４２】
図７（Ａ）は、本発明による他の実施形態の緩衝器におけるピストンＰを前記した図４に示すように同心に上下に積層した場合を図６（Ａ）と同様に示すもので、スカート部４の弁座６への干渉を回避するための条件を示す。
【手続補正１４】
【補正対象書類名】明細書
【補正対象項目名】００４３
【補正方法】変更
【補正の内容】
【００４３】
ちなみに、この実施形態の緩衝器におけるピストンＰにあっては、弁座６の外周面６ｃに段部６ｄ（図４参照）を有していない。したがって、このピストンＰを同心に積層する場合には、スカート部４の環状端部４ｂは、図７（Ａ）に示すように、前記した凹部３ｄ、すなわち、弁座６における開口窓６ａが相隣する場合の弁座６のいわゆる外に位置決めされる凹部３ｄに直接当接する状態になる。